(57)【要約】【課題】安価で、より安定的にページを捲ることができるページ捲り装置の提供。【解決手段】下ローラ４０、下ローラ５０、下ローラ６０、上ローラ２０及び上ローラ３０の回転による通帳７０の搬送中に、予捲りローラ１００がこれらのローラよりも速い回転速度で回転することによって、予捲りを実行する。【選択図】図４
2014131851.tif 000002
【特許請求の範囲】
【請求項１】
複数の媒体を綴った冊子のページを捲る捲り部と、
冊子の表紙と接触し、冊子を前記捲り部に搬入したり、前記捲り部から搬出したりするために運動する表紙側搬送部と、
冊子の見開きと接触し、冊子を前記捲り部に搬入したり、前記捲り部から搬出したりするために回転する見開き側ローラとを備え、
前記表紙側搬送部による搬送速度と、前記見開き側ローラの回転による搬送速度とに差を発生させることによって、冊子の見開きの何れかの媒体を隣接する媒体に対して移動させる
ことを特徴とするページ捲り装置。
【請求項２】
請求項１に記載のページ捲り装置であって、
前記表紙側搬送部の運動は、ローラの回転であり、
前記見開き側ローラの回転速度を前記表紙側搬送部のローラの回転速度よりも大きくすることによって、冊子の搬送中において前記搬送速度の差を発生させる
ページ捲り装置。
【請求項３】
請求項１に記載のページ捲り装置であって、
前記表紙側搬送部の運動は、ローラの回転であり、
前記見開き側ローラの外径が、前記表紙側搬送部のローラの外径よりも大きいことによって、冊子の搬送中において前記搬送速度の差を発生させる
ページ捲り装置。
【請求項４】
請求項１に記載のページ捲り装置であって、
冊子が搬送されていない間に、前記見開き側ローラを回転させることによって、前記搬送速度の差を発生させる
ページ捲り装置。
【請求項５】
請求項４に記載のページ捲り装置であって、
冊子に印字している間に、前記見開き側ローラを回転させることによって、前記周速度の差を発生させる
ページ捲り装置。
【発明の詳細な説明】
【技術分野】
【０００１】
本発明は、ページを捲る技術に関する。
【背景技術】
【０００２】
一般に通帳は、複数ページからなる冊子である。このため、自動取引装置(例えばＡＴＭ (Automated Teller Machine))内において通帳に印字する際に、印字が複数ページにまたがる場合や、印字対象ページ以外のページが開かれた状態で、通帳が装置に挿入される場合がある。このような場合に備え、自動取引装置は、通帳のページ捲りを行うページ捲り装置を内蔵する。
【０００３】
ページ捲り装置は、ページを正しく捲ることに失敗する場合がある。ページ捲りの失敗とは、捲られるページの枚数が、多過ぎたり少な過ぎたりすることである。通常、捲るべき枚数は１枚なので、１枚も捲れなかったり２枚以上捲ったりすると、ページ捲りに失敗することになる。この場合、そのまま印字せずに本来の印字ページに戻るのが好ましい。しかし、本来のページに戻るためには、ページ捲り装置が再度、ページを捲ることになり、余分な時間が掛かってしまう。そのためページを正しく捲る機能が要求されている。
【０００４】
この要求に対して、予捲りによってページ間の摩擦係数を下げてから、ページ捲りを行う方法が提案されている。予捲りとは、捲る対象のページ（以下「対象ページ」という）を捲る前に、対象ページが捲れかけるように僅かに移動させ、その後、元に戻す動作のことである。
【０００５】
特許文献１は、ページを捲るページ替えローラに、予捲り専用の予捲りローラを設ける方法を提案している。ページ替えローラ及び予捲りローラは、同軸で互いに独立して回転できる。予捲りローラは、ページ捲りローラがページと接触する前に、ページを予め捲り上げる。その後、ページ捲りローラが、予捲りされたページを捲り上げることによってページ捲りを行う。
【先行技術文献】
【特許文献】
【０００６】
【特許文献１】特開平９−１５６２５５号公報
【発明の概要】
【発明が解決しようとする課題】
【０００７】
特許文献１の手法では、予捲りローラを別途、設ける必要がある。この結果、ローラの数など、部品点数が増え、コスト増となる課題があった。
【０００８】
本発明は、上記課題に鑑みて、安価で、安定的にページを捲ることができるページ捲り装置を提供することを目的とする。
【課題を解決するための手段】
【０００９】
上記課題を解決するために、本発明は、複数の媒体を綴った冊子のページを捲る捲り部と、冊子の表紙と接触し、冊子を前記捲り部に搬入したり、前記捲り部から搬出したりするために運動する表紙側搬送部と、冊子の見開きと接触し、冊子を前記捲り部に搬入したり、前記捲り部から搬出したりするために回転する見開き側ローラとを備え、前記表紙側搬送部による搬送速度と、前記見開き側ローラの回転による搬送速度とに差を発生させることによって、冊子の見開きの何れかの媒体を隣接する媒体に対して移動させることを特徴とする。
【発明の効果】
【００１０】
冊子の見開きの何れかの媒体を隣接する媒体に対して移動させることは、予捲りの効果がある。よって、安定的にページを捲ることができる。しかも、部品点数が増やさないので、あまりコストを増加させることがない。
【図面の簡単な説明】
【００１１】
【図１】自動取引装置の通帳記帳部の構成図。
【図２】予捲りの動作状態を示した図。
【図３】（実施例１）予捲りの動作開始前の該略図。
【図４】（実施例１）予捲り中の該略図。
【図５】（実施例１）予捲り後の動作状態を示した図。
【図６】座屈抵抗力が小さ過ぎて予捲りに失敗することを示した図。
【図７】座屈抵抗力が大き過ぎて予捲りに失敗することを示した図。
【図８】（実施例１）逆捲りのための予捲りの動作開始前の該略図。
【図９】（実施例１）逆捲りのための予捲り中の該略図。
【図１０】（実施例１）逆捲りのための予捲り後の動作状態を示した図。
【図１１】（実施例２）予捲り中の該略図。
【図１２】（実施例２）予捲り後の動作状態を示した図。
【図１３】（実施例２）逆捲りのための予捲り後の動作状態を示した図。
【図１４】（実施例３）予捲り中の該略図。
【図１５】（実施例３）予捲り後の動作状態を示した図。
【発明を実施するための形態】
【００１２】
以下、実施例を図面を用いて説明する。
【実施例１】
【００１３】
実施例１は、媒体のページ捲りに関する。媒体とは、例えば、通帳である。通帳のページを捲る装置は、例えば、ＡＴＭ等の自動取引装置である。自動取引装置は、例えば、銀行システムなどの金融機関システムに採用される。なお、本発明は、装置内で冊子のページ捲りを行う機構を有するものであれば適用できるため、適用される装置がＡＴＭに限定されることはない。例えば、本のページを捲る装置が挙げられる。この装置は、例えば、書見台やスキャナー等に利用される。
【００１４】
図１は、自動取引装置の通帳記帳部１０の構成を示す。自動取引装置は、通帳等の媒体を用いて、取引を行うための装置である。自動取引装置は、例えば、次の手順に従って動作する。（１）装置取扱者により通帳７０の挿入を受けて取引を開始する。（２）入出金等の取引をする。（３）通帳７０を搬送手段２２によって搬送する。搬送手段２２は、駆動手段２８によって駆動される。駆動手段２８は、制御部２７によって制御される。制御部２７は、ＣＰＵ、ＲＯＭ、ＲＡＭ等を備え、プログラムの実行によって制御機能を発揮する。（４）光学センサ２４によって印字済み行数とページ数とを読み取る。（５）ページ捲りが不要な場合は、印字部２５によって通帳７０に取引内容の印字をすると共に、記録部２３によって磁気ストライプ（ＭＳ：Magnetic Stripe）に取引情報の記録を行う。ページ捲りが不要であることは、光学センサ２４の読み取り結果に基づき判断される。（６）挿入された通帳等を装置取扱者に返却する。
【００１５】
なお、図１において、搬送手段２２は、挿入口２１と記録部２３との間に配置されているように模式的に示されている。但し、実際の搬送手段２２は、挿入口２１からページ捲り部２６までに渡り、多数のローラを備える。
【００１６】
一方、光学センサ２４の読み取り結果に基づき、ページ捲りが必要であると判断された場合、上記（４）の後かつ上記（５）の前に次の手順を実行する。（４ａ）通帳７０をページ捲り部２６に搬送する。（４ｂ）ページ捲り部２６がページを捲ることによって、印字対象ページを開く。（４ｃ）光学センサ２４が、印字対象ページが開かれているかを検査する。（４ｄ）印字対象ページが開かれている場合、搬送手段２２が通帳７０を印字部２５に搬送する。
【００１７】
図２は、搬送手段２２の一部を示した図である。搬送手段２２は、下ローラ４０、下ローラ５０、下ローラ６０、上ローラ２０、上ローラ３０、予捲りローラ１００、位置検出センサ８０及びペーパガイド９０を備える。これら各ローラは、先述した多数のローラの一部である。下ローラ４０、下ローラ５０及び下ローラ６０は、通帳７０の表紙に接触する。上ローラ２０、上ローラ３０及び予捲りローラ１００は、通帳７０の見開きに接触する。下ローラ４０、下ローラ５０、下ローラ６０、上ローラ２０及び上ローラ３０は、同じ周速度で回転するために、同じ直径をしていると共に同じ回転速度（単位時間当たりの回転数（ｒｐｍ等））で回転する。予捲りローラ１００は、他のローラと同じ直径をしている。予捲りローラ１００は、他のローラと同じ回転速度で回転したり、他のローラよりも速い回転速度で回転したりするために、他のローラとは異なる駆動系によって回転を制御される。
【００１８】
位置検出センサ８０は、通帳７０の位置を検出する。ペーパガイド９０は、通帳７０の搬送をガイドする床面として機能する。
【００１９】
図３〜図５は、ページ捲り部２６に向けて通帳７０が搬送される様子を示す。図３は、下ローラ４０と下ローラ５０と上ローラ２０と予捲りローラ１００とが、通帳７０に接触している状態を示す。この状態においては、これら４つのローラは、同じ回転速度で回転する。
【００２０】
図４は、通帳７０が位置検出センサ８０を通過してから更に搬送され、下ローラ５０と下ローラ６０と予捲りローラ１００と上ローラ３０とが、通帳７０に接触している状態を示す。通帳７０が位置検出センサ８０を通過したことが検出されると、予捲りローラ１００の回転速度が増大させられる（例えば５〜１０％増）。予捲りローラ１００の回転速度が増大したことによって、位置検出センサ８０を通過した時点から図４の状態に至るまでにおいて、図４に示されるように予捲りが実現される。この予捲りは、順捲りのためのものである。順捲りとは、見開きのページが小さい数字から大きい数字に変化する捲り方のことである。
【００２１】
図５は、更に搬送が進み、下ローラ６０と上ローラ３０とが、通帳７０に接触している状態を示す。図５に示されるように、予捲りによる膨らみが、上ローラ３０によって押しつぶされ、通常の見開き状態に戻る。この後、ページ捲り部２６に搬送され、ページ捲りが実行される。
【００２２】
このページ捲りが順捲りの場合、予捲りが実行されたことによって、正しく捲ることができる可能性が高い。さらに、上記の通り予捲りは搬送中に実行されるために、予捲りのために余分な時間が使われることがない。加えて、予捲りローラ１００の回転速度を制御する手法を採用することによって、予捲りが成功する確率を上げるための調整（回転速度の調整）が容易に実行できる。
【００２３】
図６及び図７は、実施例１とは異なり、予捲りが失敗する場合を説明する図である。図６は、２枚まとめて予捲りされる場合を示す。２枚まとめて予捲りされることは、ページ捲り部２６が２枚まとめて捲ることを誘発するので好ましくない。
【００２４】
２枚まとめて予捲りされる原因は、ページ間の摩擦力に対して座屈抵抗力が小さ過ぎることである。ページ間の摩擦力とは、予捲りの対象となる見開きのページと、見開きのページに接触しているページ（見開きの次のページ）との間に作用する摩擦力のことである。座屈抵抗力とは、ページが座屈しないように抵抗する力のことである。予捲りは、ページを僅かに座屈させることである。よって、座屈抵抗力が小さ過ぎると、複数のページが予捲りされやすくなる。
【００２５】
座屈抵抗力が小さくなる原因は、通帳７０の前小口の付近で、つまり通帳７０の背から遠い位置で、予捲りが実行されることである。予捲りローラ１００の回転速度が増大するタイミングが遅いと、通帳７０の前小口の付近で予捲りが実行されることになる。
【００２６】
図７は、１枚も予捲りされない場合を示す。１枚も予捲りされない原因は、ページ間の摩擦力に対して座屈抵抗力が大き過ぎることである。座屈抵抗力が大きくなる原因は、通帳７０の背からある程度、離れた位置で、予捲りローラ１００の回転速度が増大していないことである。この現象は、例えば、予捲りローラ１００の回転速度を増大させるタイミングが早すぎる場合に発生する。
【００２７】
実施例１においては、このような事情を考慮し、予捲りローラ１００の回転速度を増大させるタイミングが決定されている。実施例1においては、予捲りローラ１００が概ねページの中央付近に接触している時に、予捲りが実行されるようにタイミングが決定されている。
【００２８】
図８〜図１０は、ページ捲り部２６から通帳７０が搬出される様子を示す。この際には、逆捲りのための予捲りが実行される。逆捲りとは、順捲りとは逆に、見開きのページが大きい数字から小さい数字に変化する捲り方のことである。図８〜図１０に示されるように、逆捲りのための予捲りは、順捲りのための予捲りに対して動作の向きが反転したこと以外はほぼ同じであるので、異なる点のみを説明する。動作の向きとは、通帳７０が搬送される向きと、各ローラが回転する向きとのことである。
【００２９】
図８に示される段階においては、予捲りローラ１００及び他のローラの回転速度は同じである。予捲りローラ１００が予捲りの対象となるページに接触しておらず、予捲りを実行できる坦懐にないからである。
【００３０】
図９は、予捲りが実行されている様子を示す。逆捲りのための予捲りには、順捲りのための予捲りのために配置された位置検出センサ８０による位置検出を利用する。このため、逆捲りのための予捲りは、通帳７０全体が位置検出センサ８０を通過した時点から所定時間後に開始する。その後、図１０に示されるように、予捲りによる膨らみが、上ローラ２０によって元に戻される。
【００３１】
このようにして逆捲りのための予捲りが実行されることによって、後に逆捲りが実行されることがあった場合に、正しく捲ることができる可能性が高くなる。後の逆捲りは、他の自動取引装置において実行される可能性がある。通帳７０は他の自動取引装置に挿入される可能性があるので、本発明によれば、他の自動取引装置の使用時におけるページ捲りをも正しく実行させることができる。
【実施例２】
【００３２】
図１１〜図１３は、実施例２の予捲りを説明するための図である。実施例２は実施例１と共通の内容が多いので、以下、実施例１と異なる点を説明する。実施例２の自動取引装置は、図１１に示されるように、実施例１の予捲りローラ１００に替えて、予捲りローラ２００を備える。予捲りローラ２００は、他のローラと常に同じ回転速度で回転する一方、他のローラよりも直径が大きい。
【００３３】
予捲りローラ２００の直径が大きいことによって、予捲りローラ２００の周速度は、他のローラの周速度よりも速くなる。この結果、順捲りのための予捲り（図１１，図１２）と、逆捲りのための予捲り（図１３）が実行される。
【００３４】
実施例２によれば、実施例１とは異なり、予捲りローラ２００の回転速度を制御しなくてもよいので、簡単な構成で予捲りを実現できる。
【実施例３】
【００３５】
図１４〜図１５は、実施例３の予捲りを説明するための図である。実施例３の予捲りは、印字中に実行される。実施例３の予捲りローラ３００は、印字部２５による印字中に見開きのページに接触するように配置される。予捲りローラ３００は、図１４に示されるように、印字中で通帳７０が搬送されていない時に、通帳７０の背に向かって周速度が発生する向きに回転する。この時、上ローラ３３０と、下ローラ３６０とが通帳７０を挟み込んでいるので、予捲りローラ３００の回転によって通帳７０が搬送されることはない。
【００３６】
予捲りローラ３００は、予捲りを実行した後、図１５に示されるように逆向きに回転することによって、予捲りによって生じた膨らみを元に戻す。
【００３７】
実施例３によれば、搬送されていない時に予捲りを実行するので、予捲りのために余分な処理時間を掛ける必要がない。また、実施例３の場合は、搬送中には予捲りを実行しないので、「搬送中に予捲りをし、予捲りによる膨らみを元に戻すまでは逆向きに搬送できない」ということが発生しない。
【００３８】
実施例３の場合、予捲りによる膨らみを元に戻すことを、予捲りローラ３００による引っ張りによって実行するので、元に戻すことに失敗する可能性が低い。この結果、予捲りの膨らみを大きくできる。予捲りの膨らみを大きくすると、予捲りの効果が大きくなる。
【００３９】
実施例１〜３において、表紙側に接触するローラに替えてベルト等、他の搬送手段を用いてもよい。実施例３において、印字中ではなく、通帳７を搬送しない他の動作の時に、予捲りを実行してもよい。
【００４０】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成の一部について、他の構成の追加・削除・置換をすることが可能である。
【００４１】
また、上記の各構成、機能、処理部、処理手段等は、それらの一部または全部を、例えば集積回路で設計する等によりハードウェアで実現してもよい。また、上記各構成、機能等は、プロセッサがそれぞれの機能を実現するためのプログラムを解釈し、実行することによりソフトウェアで実現してもよい。各機能を実現するためのプログラム、テーブル、ファイル等の情報は、メモリや、ハードディスク、ＳＳＤ（Solid State Drive）等の記録装置、または、ＩＣカード、ＳＤカード、ＤＶＤ（登録商標）等の記録媒体に置くことができる。
【００４２】
また、制御線や情報線は説明上必要と考えられるものを示しており、製品上の制御線や情報線を必ずしも全て示しているとは限らない。実際には殆ど全ての構成が相互に接続されていると考えてもよい。
【符号の説明】
【００４３】
１０…通帳記帳部
２０…上ローラ
２１…挿入口
２２…搬送手段
２３…記録部
２４…光学センサ
２５…印字部
２６…ページ捲り部
２７…制御部
２８…駆動手段
３０…上ローラ
４０…下ローラ
５０…下ローラ
６０…下ローラ
７０…通帳
８０…位置検出センサ
９０…ペーパガイド
１００…予捲りローラ
２００…予捲りローラ
３００…予捲りローラ
３３０…上ローラ
３６０…下ローラ
【図１】
2014131851.tif 000003
【図２】
2014131851.tif 000004
【図３】
2014131851.tif 000005
【図４】
2014131851.tif 000006
【図５】
2014131851.tif 000007
【図６】
2014131851.tif 000008
【図７】
2014131851.tif 000009
【図８】
2014131851.tif 000010
【図９】
2014131851.tif 000011
【図１０】
2014131851.tif 000012
【図１１】
2014131851.tif 000013
【図１２】
2014131851.tif 000014
【図１３】
2014131851.tif 000015
【図１４】
2014131851.tif 000016
【図１５】
2014131851.tif 000017